(57)【要約】【解決すべき課題】高い断熱特性を有する真空断熱材を風呂蓋本体をなす各パネルの中央部に簡単且つ確実にセットすることができるようになして、断熱効率のバラツキをなくし安定した保温特性を得ることができるようになした風呂蓋を提供する。【課題を解決するための手段】真空断熱材３を風呂蓋本体１内のほぼ中央部に位置させるようにするため、真空断熱材３の厚みにほぼ等しい厚さとなした発泡合成樹脂パネル４を額縁状に形成する。当該額縁状発泡合成樹脂パネル４の中空部５に真空断熱材３を嵌め付けた後、その上下両面に真空断熱材３を覆うようにして発泡合成樹脂パネル６，６を積層一体化し、且つ場合によって当該発泡合成樹脂パネル６，６の外表面に化粧パネル７，７を積層し、さらに外周部にエッジプロテクター２を嵌め付けて構成した。【選択図】図２
2006175108.tif 000002
【特許請求の範囲】
【請求項１】
ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、真空断熱材の厚みにほぼ等しい厚さとなした発泡合成樹脂パネルを額縁状に形成して、当該額縁状発泡合成樹脂パネルの内部に真空断熱材を嵌め付けた後、その上下両面に真空断熱材を覆うようにして発泡合成樹脂パネルを積層一体化してなることを特徴とする風呂蓋。
【請求項２】
ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、真空断熱材の厚みにほぼ等しい厚さとなした発泡合成樹脂パネルを額縁状に形成して、当該額縁状発泡合成樹脂パネルの内部に真空断熱材を嵌め付けた後、その上下両面に真空断熱材を覆うようにして発泡合成樹脂パネルを積層一体化し、且つ当該発泡合成樹脂パネルの外表面に化粧パネルを積層すると共に、外周部にエッジプロテクターを嵌め付けてなることを特徴とする風呂蓋。
【請求項３】
ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、所要の厚みを有する発泡合成樹脂パネルのいずれか一方の面に、真空断熱材の厚みにほぼ等しい深さの凹所を形成して、当該発泡合成樹脂パネルの凹所内に真空断熱材を嵌め付けた後、当該凹所内において露出している真空断熱材の表面を覆うようにして発泡合成樹脂パネルを積層一体化してなることを特徴とする風呂蓋。
【請求項４】
ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、所要の厚みを有する発泡合成樹脂パネルのいずれか一方の面に、真空断熱材の厚みにほぼ等しい深さの凹所を形成して、当該発泡合成樹脂パネルの凹所内に真空断熱材を嵌め付けた後、当該凹所内において露出している真空断熱材の表面を覆うようにして発泡合成樹脂パネルを積層一体化し、且つ内部に真空断熱材を封入した発泡合成樹脂パネルの外表面に化粧パネルを積層すると共に、外周部にエッジプロテクターを嵌め付けてなることを特徴とする風呂蓋。
【発明の詳細な説明】
【技術分野】
【０００１】
本発明は浴槽の上面開口を覆って湯温の低下を防ぐ風呂蓋に関する。
【背景技術】
【０００２】
風呂蓋には巻き込みを可能としたシャッター式のもの、折り畳みを可能とした折り畳み式のものの他、２枚一組、あるいは３枚一組というように複数枚の薄板状パネルを組み合わせて用いるようにした組合せ式の風呂蓋が知られている。
【０００３】
このうち、従来の組合せ式風呂蓋は、内部を中空にして熱伝導を防ぐようにしたり、あるいは次に示す特許文献に記載されているように、合成樹脂発泡体からなる断熱性芯材の表裏両面に、アルミニウム又は硬質合成樹脂製の表装材を積層一体化させて蓋本体を形成し、当該蓋本体の周縁部に滑り止め効果を有するエラストマー製のエッジプロテクターを嵌着して構成したものが主流となっている。
【特許文献１】特開平１１−３２９３０公報
【発明の開示】
【発明が解決しようとする課題】
【０００４】
上記したように、従来の組合せ蓋の場合、内部を中空にして熱伝導を防ぐようにしたり、あるいは合成樹脂発泡体を芯材として用いることにより保温性を向上させるようにしている。
【０００５】
しかしながら、内部を中空にしたり、合成樹脂発泡体を芯材として用いることによって保温効果の向上はある程度認められるとしても、加熱手段による追い炊きの回数や加熱時間を大幅に減らすことはできず、経済性を高めるには、なお改善が必要とされる。そのため、優れた断熱効果を発現する真空断熱材を、組合せ蓋を構成する各パネル内に封入する試みがなされている。
【０００６】
真空断熱材は、優れたガス遮断特性を有する薄手のフィルムによって作成された袋内に、ガラス短繊維やシリカ粉末等の多孔質粉末材料を入れて内部を真空に近い状態まで減圧して封止したものであり、従来の合成樹脂製発泡体に較べてきわめて高い断熱特性を有する。
【０００７】
ところが、この真空断熱材は上記したように表面が薄いフィルムによって覆われていて非常に繊細であり、製造過程で外被フィルムに孔あるいは亀裂等が生じないように注意を払って風呂蓋本体を構成する各パネル内に配設しなければならず、製造に多くの手間を要するという問題点がある。特に良好な断熱特性を得るためには、パネル内において偏心した状態でセットされるようなことがあってはならず、各パネルのほぼ中央に位置するようにセットされなければならない。
【０００８】
本発明の目的は、高い断熱特性を有する真空断熱材を風呂蓋本体をなす各パネルの中央部に簡単且つ確実にセットすることができるようになして、断熱効率のバラツキをなくし安定した保温特性を得ることができるようになした組合せ式の風呂蓋を提供することにある。
【課題を解決するための手段】
【０００９】
上記目的を達成するための本発明の構成を詳述すれば、請求項１に係る発明は、ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、真空断熱材の厚みにほぼ等しい厚さとなした発泡合成樹脂パネルを額縁状に形成して、当該額縁状発泡合成樹脂パネルの内部に真空断熱材を嵌め付けた後、その上下両面に真空断熱材を覆うようにして発泡合成樹脂パネルを積層一体化してなることを特徴とする風呂蓋である。
【００１０】
請求項２に係る発明は、ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、真空断熱材の厚みにほぼ等しい厚さとなした発泡合成樹脂パネルを額縁状に形成して、当該額縁状発泡合成樹脂パネルの内部に真空断熱材を嵌め付けた後、その上下両面に真空断熱材を覆うようにして発泡合成樹脂パネルを積層一体化し、且つ当該発泡合成樹脂パネルの外表面に化粧パネルを積層すると共に、外周部にエッジプロテクターを嵌め付けてなることを特徴とする風呂蓋である。
【００１１】
上記請求項１及び請求項２に係る発明によった場合、真空断熱材は額縁状発泡合成樹脂パネルの内部に定着され、風呂蓋本体内部の中央に位置させることができ、その高い断熱効果を十分発揮させることができる。
【００１２】
また、請求項３に係る発明は、ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、所要の厚みを有する発泡合成樹脂パネルのいずれか一方の面に、真空断熱材の厚みにほぼ等しい深さの凹所を形成して、当該発泡合成樹脂パネルの凹所内に真空断熱材を嵌め付けた後、当該凹所内において露出している真空断熱材の表面を覆うようにして発泡合成樹脂パネルを積層一体化してなることを特徴とする風呂蓋である。
【００１３】
さらに、請求項４に係る発明は、ガス遮断特性を示現するフィルムによって断熱芯材を真空封止して構成した真空断熱材を内部に配設してなる保温性に優れた風呂蓋において、前記真空断熱材を風呂蓋本体内のほぼ中央部に位置させるようにするため、所要の厚みを有する発泡合成樹脂パネルのいずれか一方の面に、真空断熱材の厚みにほぼ等しい深さの凹所を形成して、当該発泡合成樹脂パネルの凹所内に真空断熱材を嵌め付けた後、当該凹所内において露出している真空断熱材の表面を覆うようにして発泡合成樹脂パネルを積層一体化し、且つ内部に真空断熱材を封入した発泡合成樹脂パネルの外表面に化粧パネルを積層すると共に、外周部にエッジプロテクターを嵌め付けてなることを特徴とする風呂蓋である。  
【００１４】
上記請求項１及び請求項２に係る発明によった場合は、前記と同様に高い断熱効果を得ることができると共に、発泡合成樹脂パネルの凹所内に露出している真空断熱材の表面側にのみ発泡合成樹脂パネルを積層させればよく、塞がれている側には発泡合成樹脂パネルを積層させる必要がなくなり、製造上有利である。
【発明の効果】
【００１５】
上記したように、本発明によれば真空断熱材が有する優れた断熱効果を風呂蓋において充分に発揮させることができる。
【００１６】
特に、本発明の場合、真空断熱材は内部を中空とした額縁状発泡合成樹脂パネルまたは凹所を形成した発泡合成樹脂パネルによって所期する中央部分に保持されるので、製造工程が簡略化され、取扱いに慎重さが要求される真空断熱材を具備した風呂蓋を品質にバラツキがなく安定して供給することができる。
【発明を実施するための最良の形態】
【００１７】
以下、図面に基づき本発明に係る風呂蓋の実施形態を詳細に説明する。
【００１８】
図１は本発明風呂蓋の一実施形態を示す斜視図、図２はエッジプロテクターを除いた蓋本体部分の分解状態斜視図、図３は図１のＡ−Ａ線拡大断面図、図４は本発明風呂蓋の他の実施形態を示す概略説明図である。
【００１９】
図中１は組合せ蓋をなす風呂蓋本体を示し、２はその外周部に嵌め付けたエッジプロテクターを示す。３は当該風呂蓋本体１の内部に封入される真空断熱材であり、シリカ粉末等の粉末材料や繊維材料等の多孔質構造を有する芯材をガス遮断特性を示現するラミネートフィルム等で被包し、内部を減圧して封止したものである。この真空断熱材３は熱伝導を有効に防ぐことができ、高い断熱性を有する。
【００２０】
４は前記真空断熱材３の厚みにほぼ等しい厚さを有する発泡合成樹脂パネルであり、この発泡合成樹脂パネル４は真空断熱材３を風呂蓋本体１内のほぼ中央部に保持させるため周縁部のみを額縁状に残してその中央部のほとんどを通孔状となしたものである。なお、発泡合成樹脂パネル４の中空部５の形状は真空断熱材３をほとんど隙間なく嵌め込むことができる大きさとなっている。
【００２１】
６は額縁状発泡合成樹脂パネル４の中空部５に真空断熱材３を嵌め込んでから、その上下両面に付設する抑え用の発泡合成樹脂パネルであり、その外形寸法は長手方向及び幅方向共に、前記した額縁状発泡合成樹脂パネル４とほぼ同じ大きさとなっている。なお、真空断熱材３を嵌め込んだ発泡合成樹脂パネル４と、その上下両面に積層する発泡合成樹脂パネル６，６とはその当接面において接着ないし融着によって一体化を図る。
【００２２】
７は前記した発泡合成樹脂パネル６，６のそれぞれの外表面に接着、融着等の手段によって積層した繊維強化合成樹脂パネルや、アルミニウム薄板等によって作製された美麗な表面を有する化粧パネルであるが、発泡合成樹脂パネル６，６の成形時に表面に比較的硬質のスキン層を形成するようにした場合は、当該化粧パネルを省略することができると共に、外周部全体にも比較的硬質のスキン層を形成した場合には、エッジプロテクターをも省略することが可能となる。
【００２３】
図２及び図３に示す実施形態によった場合、真空断熱材３は額縁状発泡合成樹脂パネル４の内部の中空部５によって保持され、その上下両面に真空断熱材３を覆うようにして発泡合成樹脂パネル６，６が積層一体化され、且つ場合によっては当該発泡合成樹脂パネル６，６の外表面に化粧パネル７，７が積層されるので、真空断熱材３は風呂蓋本体１の所期する中央位置に確実に保持され、外部からの不規則な圧力に対しても充分な抵抗力を示し、安定した保温効果を持続することができる。
【００２４】
図４に示す実施形態においては、真空断熱材３を保持する発泡合成樹脂パネル８を額縁状には形成せず、所期する中央部分に真空断熱材３の厚みにほぼ等しい深さの凹所９を形成して、当該発泡合成樹脂パネル８の凹所９内に真空断熱材３を嵌め付けるようにしたものである。この実施例によった場合は、真空断熱材３の底面側は発泡合成樹脂パネル８の底部によってあらかじめ覆われることとなるので、凹所９内において露出している側のみを発泡合成樹脂パネル６によって覆うようにすればよく、発泡合成樹脂パネル８の底面側には真空断熱材３を抑えるための発泡合成樹脂パネルは不要となる。なお、それ以外の構成等は、前記した実施形態と同様であるので説明を省略する。
【００２５】
この実施形態によった場合においても真空断熱材３は風呂蓋本体１内の所期する中央部分に保持され、風呂蓋としての断熱機能を充分に発揮させることができる。
【図面の簡単な説明】
【００２６】
【図１】本発明風呂蓋の一実施形態を示す斜視図である。
【図２】エッジプロテクターを除いた蓋本体部分の分解状態斜視図である。
【図３】図１のＡ−Ａ線拡大断面図である。
【図４】本発明風呂蓋の他の実施形態を示す概略説明図である。
【符号の説明】
【００２７】
１：風呂蓋本体
２：エッジプロテクター
３：真空断熱材
４：額縁状発泡合成樹脂パネル
５：中空部
６：発泡合成樹脂パネル
７：化粧パネル
８：発泡合成樹脂パネル
９：凹所
【図１】
2006175108.tif 000003
【図２】
2006175108.tif 000004
【図３】
2006175108.tif 000005
【図４】
2006175108.tif 000006